(57)【特許請求の範囲】
【請求項１】
照明装置と、該照明装置の光出射面の側に重ねて配置された液晶パネルと、を有する液晶装置であって、
前記照明装置は、
前記光出射面の面内方向で互いに交差する第１方向および第２方向のうち、少なくとも前記第１方向で対向する第１辺と該第１辺の長さよりも長い第２辺とを有する平面形状の導光板部を、前記第２方向で隣り合う導光板部同士において前記第１辺と前記第２辺とが隣り合うように複数配列させた導光板と、
複数の前記導光板部の各々において前記第１辺の端面から当該導光板部内に光源光を入射させる複数の発光素子と、
を有し、
複数の前記導光板部のうち、隣り合う導光板部の間には、該導光板部の厚さ方向における一部に光散乱面が設けられ、他の一部に反射面が設けられていることを特徴とする液晶装置。
【請求項２】
照明装置と、該照明装置の光出射面の側に重ねて配置された液晶パネルと、を有する液晶装置であって、
前記照明装置は、
前記光出射面の面内方向で互いに交差する第１方向および第２方向のうち、少なくとも前記第１方向で対向する第１辺と該第１辺の長さよりも長い第２辺とを有する平面形状の導光板部を、前記第２方向で隣り合う導光板部同士において前記第１辺と前記第２辺とが隣り合うように複数配列させた導光板と、
複数の前記導光板部の各々において前記第１辺の端面から当該導光板部内に光源光を入射させる複数の発光素子と、
を有し、
複数の前記導光板部のうち、隣り合う導光板部の間には、該導光板部の厚さ方向における一部に光散乱面が設けられ、他の一部には隙間が設けられていることを特徴とする液晶装置。
【請求項３】
前記導光板部は、前記第１辺と前記第２辺とが平行な台形の平面形状を有していることを特徴とする請求項１または２に記載の液晶装置。
【請求項４】
前記導光板部は、前記第１方向に延在して前記第１辺の一方の端部と前記第２辺の一方の端部とを結ぶ斜辺と、前記第１辺および前記第２辺に対して直交するように延在して前記第１辺の他方の端部と前記第２辺の他方の端部とを結ぶ側辺と、を備えていることを特徴とする請求項１乃至３の何れか一項に記載の液晶装置。
【請求項５】
複数の前記導光板部は、厚さ寸法が前記第１方向で連続的に変化していることを特徴とする請求項１乃至４の何れか一項に記載の液晶装置。
【請求項６】
複数の前記導光板部は、厚さ寸法が前記第２辺の側から前記第１辺の側に向けて増大していることを特徴とする請求項５に記載の液晶装置。
【請求項７】
複数の前記導光板部は、隣り合う導光板部のいずれにおいても、前記第１辺と前記第２辺とが隣り合うように配列されていることを特徴とする請求項１乃至６の何れか一項に記載の液晶装置。
【請求項８】
請求項１乃至７の何れか一項に記載の液晶装置を表示部に備えていることを特徴とする電子機器。
【請求項９】
光出射面の面内方向で互いに交差する第１方向および第２方向のうち、少なくとも前記第１方向で対向する第１辺と該第１辺の長さよりも長い第２辺とを有する平面形状の導光板部を、前記第２方向で隣り合う導光板部同士において前記第１辺と前記第２辺とが隣り合うように複数配列させた導光板と、
複数の前記導光板部の各々において前記第１辺の端面から当該導光板部内に光源光を入射させる複数の発光素子と、
を有し、
複数の前記導光板部のうち、隣り合う導光板部の間には、該導光板部の厚さ方向における一部に光散乱面が設けられ、他の一部に反射面が設けられていることを特徴とする照明装置。
【請求項１０】
光出射面の面内方向で互いに交差する第１方向および第２方向のうち、少なくとも前記第１方向で対向する第１辺と該第１辺の長さよりも長い第２辺とを有する平面形状の導光板部を、前記第２方向で隣り合う導光板部同士において前記第１辺と前記第２辺とが隣り合うように複数配列させた導光板と、
複数の前記導光板部の各々において前記第１辺の端面から当該導光板部内に光源光を入射させる複数の発光素子と、
を有し、
複数の前記導光板部のうち、隣り合う導光板部の間には、該導光板部の厚さ方向における一部に光散乱面が設けられ、他の一部には隙間が設けられていることを特徴とする照明装置。
【発明の詳細な説明】
【技術分野】
【０００１】
本発明は、照明装置および液晶パネルを備えた液晶装置、該液晶装置を備えた電子機器、および当該照明装置に関するものである。
【背景技術】
【０００２】
各種の液晶装置のうち、透過型や半透過型の液晶パネルを備えた液晶装置は、いわゆるバックライト装置と称せられる照明装置と、この照明装置の光出射面の側に重ねて配置された液晶パネルとを有しており、照明装置から出射された照明光を液晶パネルで変調して画像を表示する。従って、照明装置においては、照明光の出射強度分布を均一とすることが必要である。
【０００３】
そこで、導光板の端部に発光素子を設けた照明装置において、導光板の第１方向で相対向する２つの辺に沿って複数の発光素子を設けるとともに、一方の辺に沿って配置された発光素子の位置と、他方の辺に沿って配置された発光素子の位置を第２方向でずらした構成が提案されている（特許文献１参照）。
【０００４】
また、照明装置からの照明光の出射強度を領域毎に制御するにあたって、一体の導光板では光が広がり過ぎるとして、例えば、図１０（ａ）に示すように、第１方向に延在する長方形の導光板部８１Ｘを短辺方向である第２方向に複数、並列するとともに、導光板部８１Ｘの第１方向の端部（光入射部８８Ｘ）に発光素子８９を配置した構成が提案されている（特許文献２参照）。
【０００５】
一方、図１０（ｂ）に示すように、照明光の出射強度を領域毎に制御する構成ではないが、第１方向で対向する２辺の長さが相違する台形形状の複数の導光板部８２Ｙを第１方向における向きを逆にして第２方向に配列するとともに、導光板部８２Ｙの長辺側に位置する端面（光入射部８８Ｙ）に発光素子８９を配置した照明装置が提案されている（特許文献３参照）。
【先行技術文献】
【特許文献】
【０００６】
【特許文献１】特開２００６−１２０３６１号公報
【特許文献２】特開２００９−１６３９０２号公報
【特許文献３】特開２００６−１０８０４５号公報
【発明の概要】
【発明が解決しようとする課題】
【０００７】
しかしながら、特許文献２に記載の照明装置の場合、導光板部８１Ｘの光入射部８８Ｘの第２方向のサイズが発光素子８９の第２方向のサイズに比して大きい。このため、導光板部８１Ｘから照明光を出射した際、導光板部８１Ｘの光入射部８８Ｘ付近では、発光素子８９と対向している部分からの照明光の出射強度は大であるが、かかる領域から第２方向にずれた位置では、照明光の出射強度が低くなりやすいという問題点がある。また、特許文献３に記載の構成を採用した場合は、特許文献２に記載の照明装置よりさらに、導光板部８２Ｙの光入射部８８Ｙの第２方向のサイズが発光素子８９の第２方向のサイズに比して大きいため、上記の問題点が顕著である。
【０００８】
それ故、特許文献２、３に記載の構成を採用する場合には、導光板部８１Ｘ、８２Ｙの第２方向の寸法を小さくするとともに、導光板部８１Ｘ、８２Ｙおよび発光素子８９の数を増やして、導光板部８１Ｘ、８２Ｙの第２方向のサイズを発光素子８９の第２方向のサイズに近づける必要があるが、かかる構成の場合、照明装置や液晶装置のコストが増大してしまう。また、特許文献２、３に記載の構成では、導光板部８１Ｘ、８２Ｙの光入射部８８Ｘ、８８Ｙから大きく離間した位置に発光素子８９を設けることにより、導光板部８１Ｘ、８２Ｙの光入射部８８Ｘ、８８Ｙ付近での照明光の出射強度差を小さくすることも考えられるが、かかる構成の場合、照明装置の第１方向における寸法が大となってしまい、液晶装置に搭載できなくなる等の問題点がある。
【０００９】
以上の問題点に鑑みて、本発明の課題は、第１方向に延在する導光板部を第２方向に複数並列させた場合でも、導光板部や発光素子の数が比較的少なく、かつ、第１方向における寸法が比較的小さくても、照明光の出射強度の均一化を図ることのできる液晶装置、液晶装置を備えた電子機器、および当該照明装置を提供することにある。
【課題を解決するための手段】
【００１０】
上記課題を解決するために、本発明は、照明装置と、該照明装置の光出射面の側に重ねて配置された液晶パネルと、を有する液晶装置であって、前記照明装置は、前記光出射面の面内方向で互いに交差する第１方向および第２方向のうち、少なくとも前記第１方向で対向する第１辺と該第１辺の長さよりも長い第２辺とを有する平面形状の導光板部を、前記第２方向で隣り合う導光板部同士において前記第１辺と前記第２辺とが隣り合うように複数配列させた導光板と、複数の前記導光板部の各々において前記第１辺の端面から当該導光板部内に光源光を入射させる複数の発光素子と、を有していることを特徴とする。
【００１１】
本発明に係る液晶装置では、液晶パネルに対する駆動に連動して、照明装置からの照明光の出射強度を領域毎に制御するにあたって、第１方向で対向する２辺の長さが相違する平面形状をもつ導光板部を、第１方向における向きを逆にして第２方向に配列し、かかる導光板部において第１方向に位置する端面から導光板部内に発光素子から出射された光源光を入射させる。このため、一体の導光板を用いた場合と違って光源光が広がり過ぎることを抑制することができるので、照明光の出射強度を領域毎に好適に制御することができる。ここで、発光素子は、導光板部の第１方向で対向する２辺のうち、第１辺側（短辺側）に位置する端面から導光板部内に光源光を入射させる。このため、導光板部においては、光源光が入射する端面（光入射部）の第２方向のサイズが発光素子の第２方向のサイズに比して過剰に大きくなるという事態を回避することができる。従って、導光板部の光入射部から発光素子を過度に第１方向に離間させなくても、導光板部において発光素子と対向している部分と、かかる領域から第２方向にずれた位置とにおける光源光の入射光量の差が小さい。それ故、導光板部から照明光を出射した際、導光板部の光入射部付近において、発光素子と対向している部分からの照明光の出射強度と、かかる領域から第２方向にずれた位置からの照明光の出射強度との差が小さい。よって、第１方向に延在する導光板部を第２方向に複数並列させた場合でも、導光板部や発光素子の数が比較的少なく、かつ、第１方向における寸法が比較的小さくても、照明光の出射強度の均一化を図ることができる。
【００１２】
本発明において、前記導光板部は、前記第１辺と前記第２辺とが平行な台形の平面形状を有している構成を採用することができる。かかる構成によれば、導光板の第１方向の両側で発光素子が第２方向に直線的に並ぶ構成となるので、発光素子が実装された基板を直線的に延在させることができる等、構成の簡素化を図ることができる。
【００１３】
本発明において、前記導光板部は、前記第１方向に延在して前記第１辺の一方の端部と前記第２辺の一方の端部とを結ぶ斜辺と、前記第１辺および前記第２辺に対して直交するように延在して前記第１辺の他方の端部と前記第２辺の他方の端部とを結ぶ側辺と、を備えている構成を採用することができる。かかる構成によれば、平行な２辺に対して直交する側辺が第２方向の外側に配置するように導光板部を配置することにより、導光板を長方形とすることができる。
【００１４】
本発明において、複数の前記導光板部のうち、隣り合う導光板部の間には光散乱面が設けられていることが好ましい。かかる構成によれば、導光板部から隣りの導光板部に向けて一部の光が光散乱面を介して漏れるので、隣り合う導光板部の境界部分において照明光の出射強度が急激に変化することを防止することができる。
【００１５】
本発明において、複数の前記導光板部のうち、隣り合う導光板部の間には、該導光板部の厚さ方向における一部に前記光散乱面が設けられ、他の一部に反射面が設けられている構成を採用することができる。かかる構成によれば、光散乱面および反射面が占める割合を調整すれば、導光板部から隣りの導光板部に漏れる光量と、反射面で反射して導光板部に戻る光量を調整することができる。従って、隣り合う導光板部の境界部分において照明光の出射強度が急激に変化することを抑制することができるとともに、導光板部から出射される照明光の光量を最適化することができる。
【００１６】
本発明において、複数の前記導光板部のうち、隣り合う導光板部の間には、該導光板部の厚さ方向における一部に前記光散乱面が設けられ、他の一部には隙間が設けられている構成を採用してもよい。かかる構成によれば、導光板部の端面と隙間内の空気層との界面で反射が発生するとともに、一部の光は隙間を介して隣りの導光板部に入射する。従って、光散乱面および隙間が占める割合を調整すれば、導光板部から隣りの導光板部に漏れる光量と、導光板部の端面と隙間内の空気層との界面で反射して導光板部に戻る光量を調整することができる。それ故、隣り合う導光板部の境界部分において照明光の出射強度が急激に変化することを抑制することができるとともに、導光板部から出射される照明光の光量を最適化することができる。
【００１７】
本発明において、複数の前記導光板部のうち、隣り合う導光板部の間には、隙間が設けられている構成を採用してもよい。かかる構成によれば、導光板部の端面と隙間内の空気層との界面で反射が発生するとともに、一部の光は隙間を介して隣りの導光板部に入射する。従って、隣り合う導光板部の境界部分において照明光の出射強度が急激に変化することを抑制することができるとともに、導光板部から出射される照明光の光量を最適化することができる。
【００１８】
本発明において、複数の前記導光板部は、厚さ寸法が前記第１方向で連続的に変化している構成を採用することができる。
【００１９】
この場合、複数の前記導光板部は、厚さ寸法が前記第２辺の側から前記第１辺の側に向けて増大していることが好ましい。かかる構成によれば、入射した光源光が導光板部の先端側まで十分な光量をもって到達しやすいので、導光板部から出射される照明光の出射強度の均一化を図ることができる。
【００２０】
本発明において、複数の前記導光板部は、隣り合う導光板部のいずれにおいても、前記第１辺と前記第２辺とが隣り合うように配列されていることが好ましい。かかる構成によれば、導光板内での光源光の第１方向における進行方向が第２方向において交互になるので、導光板内での輝度ムラが発生しにくい等の利点がある。
【００２１】
本発明に係る液晶装置は各種電子機器において表示部として用いることができる。
【００２２】
また、本発明に係る照明装置は、光出射面の面内方向で互いに交差する第１方向および第２方向のうち、少なくとも前記第１方向で対向する第１辺と該第１辺の長さよりも長い第２辺とを有する平面形状の導光板部を、前記第２方向で隣り合う導光板部同士において前記第１辺と前記第２辺とが隣り合うように複数配列させた導光板と、複数の前記導光板部の各々において前記第１辺の端面から当該導光板部内に光源光を入射させる複数の発光素子と、を有していることを特徴とする。
【００２３】
本発明に係る照明装置では、照明光の出射強度を領域毎に制御するにあたって、第１方向で対向する２辺の長さが相違する平面形状をもつ導光板部を、第１方向における向きを逆にして第２方向に配列し、かかる導光板部において第１方向に位置する端面から導光板部内に発光素子から出射された光源光を入射させる。このため、一体の導光板を用いた場合と違って光源光が広がり過ぎることを抑制することができるので、照明光の出射強度を領域毎に好適に制御することができる。ここで、発光素子は、導光板部の第１方向で対向する２辺のうち、第１辺側（短辺側）に位置する端面から導光板部内に光源光を入射させる。このため、導光板部においては、光源光が入射する端面（光入射部）の第２方向のサイズが発光素子の第２方向のサイズに比して過剰に大きくなるという事態を回避することができる。従って、導光板部の光入射部から発光素子を過度に第１方向に離間させなくても、導光板部において発光素子と対向している部分と、かかる領域から第２方向にずれた位置とにおける光源光の入射光量の差が小さい。それ故、導光板部から照明光を出射した際、導光板部の光入射部付近において、発光素子と対向している部分からの照明光の出射強度と、かかる領域から第２方向にずれた位置からの照明光の出射強度との差が小さい。よって、第１方向に延在する導光板部を第２方向に複数並列させた場合でも、導光板部や発光素子の数が比較的少なく、かつ、第１方向における寸法が比較的小さくても、照明光の出射強度の均一化を図ることができる。
【図面の簡単な説明】
【００２４】
【図１】本発明の実施の形態１に係る液晶装置の全体構成を示す説明図である。
【図２】本発明の実施の形態１に係る液晶装置の分解斜視図である。
【図３】本発明の実施の形態１に係る照明装置の要部構成を示す説明図である。
【図４】本発明の実施の形態１に係る照明装置の導光板部の１つから照明光を出射した際の出射強度を示す説明図である。
【図５】本発明の実施の形態２に係る照明装置の平面構成を示す説明図である。
【図６】本発明の実施の形態３に係る照明装置の平面構成を示す説明図である。
【図７】本発明の実施の形態１〜３の変形例１に係る照明装置の断面構成を示す説明図である。
【図８】本発明の実施の形態１〜３の変形例２に係る照明装置の要部構成を示す説明図である。
【図９】本発明を適用した液晶装置を備えた電子機器の説明図である。
【図１０】従来の照明装置の説明図である。
【発明を実施するための形態】
【００２５】
図面を参照して、本発明の実施の形態を説明する。なお、以下の説明で参照する図においては、各層や各部材を図面上で認識可能な程度の大きさとするため、各層や各部材毎に縮尺を異ならしめてある。また、以下の説明においては、導光板や液晶パネルの面内方向で互いに交差する方向をＸ軸方向およびＹ軸方向とし、Ｘ軸方向およびＹ軸方向に交差する方向をＺ軸方向とする。また、以下に参照する図面では、Ｘ軸方向の一方側をＸ１側とし、他方側をＸ２側とし、Ｙ軸方向の一方側をＹ１側とし、他方側をＹ２側とし、Ｚ軸方向の一方側をＺ１側（下側）とし、他方側（照明光や表示光が出射される側）をＺ２側（上側）として表してある。
【００２６】
［実施の形態１］
（全体構成）
図１は、本発明の実施の形態１に係る液晶装置の全体構成を示す説明図であり、図１（ａ）、（ｂ）は、液晶装置の外観を示す斜視図、および液晶装置の断面図である。図２は、本発明の実施の形態１に係る液晶装置の分解斜視図である。
【００２７】
図１および図２において、本形態の液晶装置１００は、概ね、いわゆるバックライトと称せられる照明装置８と、この照明装置８の上面に重ねて配置された透過型あるいは半透過型の液晶パネル１０とを備えている。本形態において、液晶パネル１０は、透過型の液晶パネルからなる。また、液晶装置１００は、液晶パネル１０および照明装置８を内側に保持する樹脂製の樹脂フレーム３０と、樹脂フレーム３０の下側（表示面とは反対側／Ｚ軸方向の一方側Ｚ１）に配置された下金枠４０と、樹脂フレーム３０の上側（表示面の側／Ｚ軸方向の他方側Ｚ２）に配置された上金枠５０とを備えている。樹脂フレーム３０と下金枠４０とは、インサート成形あるいはアウトサート成形により一体に形成されることがある。
【００２８】
液晶パネル１０は、四角形の平面形状を有しており、画素電極１５等が形成された素子基板１１と、素子基板１１に対して所定の隙間を介して対向配置された対向基板１２と、この対向基板１２と素子基板１１とを貼り合せるシール材１４とを備えている。かかる液晶パネル１０では、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線が延在しており、走査線とデータ線（図示せず）との交差に対応して、スイッチング素子（図示せず）および画素電極１５が設けられている。
【００２９】
本形態では、対向基板１２が表示光の出射側に配置され、素子基板１１は照明装置８の側に配置されている。液晶パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極１５が形成され、対向基板１２に共通電極１６が形成されている。本形態において、液晶パネル１０は対角３．５インチ、３２０×４８０画素である。なお、液晶パネル１０がＩＰＳ（In Plane Switching）方式や、ＦＦＳ（Fringe Field Switching）方式の液晶パネルである場合、共通電極１６は、素子基板１１の側に設けられる。また、素子基板１１が対向基板１２に対して表示光の出射側に配置されることもある。液晶パネル１０の上面には上偏光板１８が重ねて配置され、液晶パネル１０の下面と照明装置８との間には下偏光板１７が配置されている。
【００３０】
素子基板１１において、対向基板１２の縁からの張り出し部分１１０の上面には駆動用ＩＣ１４０が実装されているとともに、かかる張り出し部分１１０の端部にはフレキシブル基板２００が接続されている。フレキシブル基板２００には、液晶パネル１０に画像データを出力する表示制御用ＩＣ２５０と、照明装置８での点灯を制御する光源駆動用ＩＣ２８０（光源駆動部）とが実装されている。
【００３１】
本形態において、光源駆動用ＩＣ２８０は、液晶パネル１０に対する駆動に連動して、照明装置８からの照明光の出射強度を領域毎に制御する。より具体的には、本形態の液晶装置１００では、液晶パネル１０において輝度が高い画像を表示する領域には照明装置８からの照明光の出射強度を大とし、輝度が低い画像を表示する領域には照明装置８からの照明光の出射強度を小とするローカルディミング方式が採用されている。かかる動作は、表示制御用ＩＣ２５０の制御の下、光源駆動用ＩＣ２８０が照明装置８に用いた発光素子８９への駆動電流を制御することにより実行される。
【００３２】
照明装置８は、液晶パネル１０の下面側に対して重ねて配置された矩形の導光板８０と、白色光を出射する発光ダイオード等の発光素子８９とを備えており、導光板８０は、アクリル樹脂やポリカーボネート樹脂等からなる透光性の樹脂板である。液晶パネル１０に接続されているフレキシブル基板２００は両面基板であり、発光素子８９は、フレキシブル基板２００で延在する帯状部分２１０等に実装されている。詳しくは後述するように、導光板８０は、光入射部８８を備えており、発光素子８９から出射された光源光は、光入射部８８から導光板８０に入射した後、導光板８０内を進行しながら上面の光出射面８５から照明光として出射される。また、照明装置８において、導光板８０の下面には反射シート１８７が重ねて配置され、導光板８０の上面には拡散シート１８２、プリズムシート１８３、１８４等の光学シートが重ねて配置されている。本形態において、２枚のプリズムシート１８３、１８４は、互いの稜線が直交するように配置されている。このため、導光板８０の光出射面８５から出射された照明光は、拡散シート１８２によって全方向に拡散した後、２枚のプリズムシート１８３、１８４によって、液晶パネル１０の正面方向にピークを持つような指向性が付与されている。
【００３３】
このようにして、本形態では、導光板８０、発光素子８９、フレキシブル基板２００の帯状部分２１０、光学シート（反射シート１８７、拡散シート１８２、プリズムシート１８３、１８４）、および光源駆動用ＩＣ２８０（光源駆動部）によって、照明装置８が構成されている。ここで、フレキシブル基板２００の帯状部分２１０は、導光板８０において相対向する２つの辺に沿って延在しており、図３等を参照して後述するように、発光素子８９は、導光板８０において相対向する２辺に沿って配置されている。光源駆動用ＩＣ２８０（光源駆動部）は、液晶パネルに対する駆動に連動して複数の発光素子８９を選択的に駆動し、光出射面からの照明光の出射光量を複数の導光板部毎に制御している。
【００３４】
なお、樹脂フレーム３０は、矩形枠状であり、液晶パネル１０の側端部に対向する４つの側壁３１を備えている。かかる４つの側壁３１のうち、３つの側壁３１の内側には段部３６が形成されている。かかる段部３６の上には、両面テープ等により、液晶パネル１０が固定され、段部３６の内側に照明装置８の導光板８０や発光素子８９等が配置されている。下金枠４０は、ＳＵＳ板等の薄い金属板に対するプレス加工等により形成されてなる。下金枠４０は、底板部４３と、底板部４３の外周縁から起立する４つの側板部４１とを備えており、上面が開口する矩形の箱状になっている。かかる下金枠４０の底板部４３の上に樹脂フレーム３０が保持される。上金枠５０も、下金枠４０と同様、ＳＵＳ板等の薄い金属板に対するプレス加工等により形成されてなる。上金枠５０は、矩形の上板部５３と、上板部５３の外周縁から下方に折れ曲がった４つの側板部５１とを備えており、下面が開口する矩形の箱状になっている。側板部５１は、液晶パネル１０の側端部を覆っており、上板部５３は、液晶パネル１０の表示光出射側を覆っている。ここで、上金枠５０の上板部５３には、液晶パネル１０から出射された光を出射する矩形の開口部５３０が形成されている。このため、上金枠５０の上板部５３は、液晶パネル１０の表示光出射側のうち、外周端部を全周にわたって覆っている。下金枠４０において、側板部４１には、側板部４１に対する切り起こし加工によって斜め下向きのフック部４５が形成されており、上金枠５０において、側板部５１には、側板部５１に対する切り起こし加工によって斜め上向きのフック部５５が形成されている。このため、液晶パネル１０、照明装置８および樹脂フレーム３０に対して下金枠４０および上金枠５０を重ねた状態で、上金枠５０を下金枠４０に向けて押圧すると、フック部４５、５５同士が自動的に係合し、上金枠５０と下金枠４０とは側板部４１、５１で結合された状態となる。
【００３５】
（照明装置８の詳細構成）
図３は、本発明の実施の形態１に係る照明装置８の要部構成を示す説明図であり、図３（ａ）、（ｂ）は、照明装置８の平面構成を示す説明図、および図３のＸ１−Ｘ１′線に沿って照明装置８を切断した様子を示す説明図である。なお、以下の説明においては、第１方向、第２方向および第３方向は各々、以下の方向
第１方向＝Ｙ軸方向
第２方向＝Ｘ軸方向
第３方向＝Ｚ軸方向
に相当する。また、「第１辺」は短辺８１２に相当し、「第２辺」は長辺８１１に相当する。
【００３６】
図３に示すように、本形態の照明装置８において、導光板８０では、光出射面８５の面内方向で互いに交差するＹ軸方向（第１方向）およびＸ軸方向（第２方向）のうち、Ｙ軸方向で対向する２辺の長さが相違する台形形状の平面形状を有する複数の導光板部８１（８１ａ〜８１ｆ）がＸ軸方向に並列するように配置されており、かかる導光板部８１に一対一の関係をもって発光素子８９が配置されている。本形態において、発光素子８９は、白色光を出射するＬＥＤ（Light Emitting Diode）であり、光源光を発散光として出射する。
【００３７】
ここで、複数の導光板部８１は、Ｙ軸方向における向きを逆にしてＸ軸方向に交互に配列されている。このため、複数の導光板部８１のうち、隣り合う導光板部８１のいずれにおいても、Ｙ軸方向における向きが逆である。より具体的には、複数の導光板部８１のうち、導光板部８１ａ、８１ｃ、８１ｅは、Ｙ軸方向で対向する２辺のうち、長辺８１１をＹ軸方向の一方側Ｙ１に向けており、短辺８１２をＹ軸方向の他方側Ｙ２に向けている。これに対して、導光板部８１ｂ、８１ｄ、８１ｆは、長辺８１１をＹ軸方向の他方側Ｙ２に向けており、短辺８１２をＹ軸方向の一方側Ｙ１に向けている。また、複数の導光板部８１はいずれも同一形状を有しており、長辺８１１および短辺８１２に対して直交する方向に延在して長辺８１１および短辺８１２の端部同士を結ぶ側辺８１３と、斜めに延在して長辺８１１および短辺８１２の他の端部同士を結ぶ斜辺８１４とを備えている。このため、２つの導光板部８１ａ、８１ｂを斜辺８１４同士が接するように配置すると、導光板部８１ａ、８１ｂはＹ軸方向に長辺を向ける延在する四角形となる。また、他の導光板部（導光板部８１ｃ、８１ｄ、および導光板部８１ｅ、８１ｆ）も同様である。このため、２つの導光板部８１を斜辺８１４同士が接するように組み合わせたものをＹ軸方向に配置するだけで、長方形の平面形状を有する導光板８０を構成することができる。
【００３８】
本形態において、導光板部８１は、例えば、厚さ寸法が１ｍｍ、Ｙ軸方向の長さ寸法７５ｍｍであり、長辺８１１の長さが１３ｍｍ、短辺８１２の長さが４ｍｍである。このため、導光板は、５１ｍｍ×７５ｍｍの平面サイズを有している。
【００３９】
このように構成した導光板８０に発光素子８９を配置するにあたって、本形態では、複数の導光板部８１のいずれにおいても、短辺８１２側に位置する端面が光入射部８８になっており、かかる光入射部８８に発光素子８９が発光面を向けている。また、導光板部８１において、反射シート１８７が位置する側の面には、散乱パターンが形成されており、本形態において、散乱パターンの密度は、発光素子８９から離れるに従って高くなっている。このため、導光板部８１から出射される照明光の強度分布は、発光素子８９からの距離にかかわらず、均一化されている。かかる散乱パターンとしては、導光板部の表面に凹状の窪みを設けた構成や、散乱部材を印刷した構成等を採用することができる。
【００４０】
本形態において、複数の導光板部８１は各々が、独立した樹脂板からなり、側辺８１３および斜辺８１４に相当する端面は、散乱処理によって微細凹凸が付された光散乱面８２１になっている。このため、Ｙ軸方向で隣り合う導光板部８１の間８２には光散乱面８２１が設けられている。これに対して、導光板部８１において光入射部８８とされた短辺８１２側の端面は、光源光の導光板部８１内への入射効率を高めることを目的に、散乱処理はされず平坦面となっている。また、導光板部８１において、光入射部８８に対向する長辺８１１側の端面は、平坦面になっており、それ故、長辺８１１側の端面に到達した光は反射され、再度、導光板部８１内を伝播するようになっている。
【００４１】
（照明光の出射特性）
図４は、本発明の実施の形態１に係る照明装置８の導光板部８１の１つから照明光を出射した際の出射強度を示す説明図である。本形態の液晶装置１００では、ローカルディミング方式が採用されており、液晶パネル１０において輝度が高い画像を表示する領域には照明装置８が照明光の出射強度を大とし、輝度が低い画像を表示する領域には照明装置８が照明光の出射強度を小とする。かかる点灯動作の際、例えば、図４に示すように、複数の導光板部８１のうち、導光板部８１ｅに設けられた発光素子８９が点灯し、両側の発光素子８９が消灯状態にあったとする。
【００４２】
このような場合、まず、導光板部８１ｅからは位置によらず強度が均一な照明光が出射される。ここで、複数の導光板部８１は各々が、独立した樹脂板からなり、側辺８１３および斜辺８１４に相当する端面は散乱面になっている。このため、導光板部８１ｅ内を進行する光の一部が側辺８１３および斜辺８１４に相当する端面から出射され、隣りの導光板部８１ｄ、８１ｆに入射する。このため、隣り合う導光板部８１の間８２（境界部分）において照明光の出射強度がなだらかに減少し、急激に変化することを抑制することができる。
【００４３】
（本形態の主な効果）
以上説明したように、本形態では、ローカルディミングを採用して画像のコントラストの向上や、低消費電力化を図るにあたって、Ｙ軸方向（第１方向）で対向する２辺の長さが相違する台形形状の平面形状をもつ導光板部８１を、Ｙ軸方向における向きを逆にしてＸ軸方向（第２方向）に配列してある。また、導光板部８１においてＹ軸方向に位置する端面から導光板部８１内に発光素子８９から出射された光源光を入射させる。このため、一体の導光板を用いた場合と違って光源光が広がり過ぎることを抑制することができるので、照明光の出射強度を領域毎に好適に制御することができる。
【００４４】
ここで、発光素子８９は、導光板部８１の短辺８１２側に位置する端面から導光板部８１内に光源光を入射させる。このため、導光板部８１においては、光源光が入射する端面（光入射部８８）のＸ軸方向のサイズが発光素子８９のＸ軸方向のサイズに比して過剰に大きくなるという事態を回避することができる。従って、導光板部８１の光入射部８８から発光素子８９を過度に離間させなくても、導光板部８１において発光素子８９と対向している部分と、かかる領域からＸ軸方向にずれた位置とにおいて光源光の入射光量の差が小さい。それ故、導光板部８１から照明光を出射する際、導光板部８１の光入射部８８付近において、発光素子８９と対向している部分からの照明光の出射強度と、かかる領域からＸ軸方向にずれた位置からの照明光の出射強度との差が小さい。よって、Ｙ軸方向に延在する導光板部８１をＸ軸方向に複数配列させた場合でも、導光板部８１や発光素子８９の数が比較的少なく、かつ、Ｙ軸方向における照明装置８の寸法が比較的小さいままで、照明光の出射強度の均一化を図ることができる。
【００４５】
また、本形態では、隣り合う導光板部８１の間８２には光散乱面８２１が設けられているため、導光板部８１から隣りの導光板部８１に一部の光が漏れることになる。このため、隣り合う導光板部８１の境界部分において照明光の出射強度が急激に変化することを抑制することができる。それ故、品位の高い画像を表示することができる。
【００４６】
また、複数の導光板部８１は、２辺（長辺８１１および短辺８１２）が平行な台形の平面形状を有しているため、導光板８０のＹ軸方向の両側で発光素子８９がＸ軸方向に直線的に並ぶ構成となる。従って、発光素子８９が実装された基板（フレキシブル基板２００の帯状部分２１０）を直線的に延在させることができる等、構成の簡素化を図ることができる。さらに、複数の導光板部８１は、斜辺８１４と、２辺（長辺８１１および短辺８１２）に対して直交するように延在する側辺８１３とを備えている。このため、側辺８１３が外側に配置するように導光板部８１を配置するだけで導光板８０を長方形とすることができる。
【００４７】
なお、本形態では、Ｙ軸方向で隣り合う導光板部８１の間８２に光散乱面８２１を設けるにあたって、側辺８１３および斜辺８１４の双方を光散乱面８２１としたが、Ｙ軸方向で隣り合う導光板部８１のうち、一方の導光板部８１の側辺８１３あるいは斜辺８１４が光散乱面８２１になっている構成を採用してもよい。かかる構成では、Ｙ軸方向で隣り合う導光板部８１の間で光散乱面８２１を兼用した構成となるので、側辺８１３および斜辺８１４の双方を光散乱面８２１とした場合と同様な効果を得ることができる。また、Ｙ軸方向で隣り合う導光板部８１のうち、一方の導光板部８１の側辺８１３あるいは斜辺８１４のみが光散乱面８２１になっている構成の場合、散乱処理をすべき対象が限られるので、生産性を向上することができる。
【００４８】
また、本形態では、光入射部８８に対向する長辺８１１側の端面が平坦面になっている構成を採用したが、長辺８１１側の端面が散乱面あるいは反射面になっている構成を採用してもよく、この場合は、導光板８０内に伝播する光の利用効率を高めることができる。
【００４９】
［実施の形態２］
図５は、本発明の実施の形態２に係る照明装置８の平面構成を示す説明図である。実施の形態１では、ローカルディミング方式が採用された例であったが、本形態では、ローカルディミングを採用するとともに、矢印Ｙ０で示すように、液晶パネル１０において画素を線順次で走査する動作に連動して照明装置８からの照明光が出射される領域をシフトさせていくスキャンバックライトの例である。このため、以下の説明においては、第１方向、第２方向および第３方向は各々、以下の方向
第１方向＝Ｘ軸方向
第２方向＝Ｙ軸方向
第３方向＝Ｚ軸方向
に相当する。但し、本形態の基本的な構成は、実施の形態１と同様であるため、共通する部分には同一の符号を付して、それらの説明を省略する。
【００５０】
図５に示すように、本形態の照明装置８においては、実施の形態１に対して、導光板部８１の配列方向を９０°回転させ、かつ、導光板部８１の数を増やした構成を有している。より具体的には、導光板８０は、Ｘ軸方向で対向する平行な２辺の長さが相違する台形形状の平面形状を有する複数の導光板部８１（８１ａ〜８１ｈ）がＹ軸方向に並列するように配置された構成を有しており、かかる導光板部８１に一対一の関係をもって発光素子８９が配置されている。
【００５１】
ここで、複数の導光板部８１は、Ｘ軸方向における向きを逆にしてＹ軸方向に交互に配列されている。このため、複数の導光板部８１のうち、隣り合う導光板部８１のいずれにおいても、Ｙ軸方向における向きが逆である。また、複数の導光板部８１はいずれも同一形状を有しており、長辺８１１および短辺８１２に対して直交する側辺８１３と、斜辺８１４とを備えている。このため、隣り合う導光板部８１ａ、８１ｂを斜辺８１４同士が接するように配置すると、導光板部８１ａ、８１ｂはＹ軸方向に長辺を向けて延在する四角形となる。また、他の導光板（導光板部８１ｃ、８１ｄ、導光板部８１ｅ、８１ｆ、および導光板部８１ｇ、８１ｈ）も同様である。このため、導光板８０は、長方形の平面形状を有している。
【００５２】
本形態において、導光板部８１は、例えば、厚さ寸法が１ｍｍ、Ｘ軸方向の長さ寸法５１ｍｍであり、長辺８１１の長さが１５ｍｍ、短辺８１２の長さが４ｍｍである。このため、導光板は、５１ｍｍ×７６ｍｍの平面サイズを有している。
【００５３】
このように構成した導光板８０に発光素子８９を配置するにあたって、本形態でも、実施の形態１と同様、複数の導光板部８１のいずれにおいても、短辺８１２側に位置する端面が光入射部８８になっており、かかる光入射部８８に発光素子８９が発光面を向けている。また、導光板部８１において、反射シート１８７が位置する側の面には、散乱パターンが形成されており、導光板部８１から出射される照明光の強度分布は、発光素子８９からの距離にかかわらず、均一化されている。また、複数の導光板部８１は各々が、独立した樹脂板からなり、側辺８１３および斜辺８１４に相当する端面は、散乱処理によって微細凹凸が付された光散乱面８２１になっている。このため、Ｙ軸方向で隣り合う導光板部８１の間８２には光散乱面８２１が設けられている。これに対して、導光板部８１において光入射部８８とされた短辺８１２側の端面、および光入射部８８に対向する長辺８１１側の端面はいずれも、平坦面になっている。
【００５４】
なお、本形態では、実施の形態１と同様、Ｙ軸方向で隣り合う導光板部８１の間８２に光散乱面８２１を設けるにあたって、側辺８１３および斜辺８１４の双方を光散乱面８２１としたが、Ｙ軸方向で隣り合う導光板部８１のうち、一方の導光板部８１の側辺８１３あるいは斜辺８１４が光散乱面８２１になっている構成を採用してもよい。かかる構成では、Ｙ軸方向で隣り合う導光板部８１の間で光散乱面８２１を兼用した構成となるので、側辺８１３および斜辺８１４の双方を光散乱面８２１とした場合と同様な効果を得ることができる。また、Ｙ軸方向で隣り合う導光板部８１のうち、一方の導光板部８１の側辺８１３あるいは斜辺８１４のみが光散乱面８２１になっている構成の場合、散乱処理をすべき対象が限られるので、生産性を向上することができる。また、本形態では、実施の形態１と同様、光入射部８８に対向する長辺８１１側の端面が平坦面になっている構成を採用したが、長辺８１１側の端面が散乱面あるいは反射面になっている構成を採用してもよく、この場合は、導光板８０内に伝播する光の利用効率を高めることができる。
【００５５】
以上説明したように、本形態では、ローカルディミングを採用して画像のコントラストの向上や低消費電力化を図るとともに、スキャンバックライト方式を採用して低消費電力化を図るにあたって、Ｘ軸方向（第１方向）で対向する平行な２辺の長さが相違する台形形状の平面形状をもつ導光板部８１を、Ｙ軸方向における向きを逆にしてＹ軸方向（第２方向）に配列してある。また、導光板部８１においてＸ軸方向に位置する端面から導光板部８１内に発光素子８９から出射された光源光を入射させる。このため、一体の導光板を用いた場合と違って光源光が広がり過ぎることを抑制することができるので、照明光の出射強度を領域毎に好適に制御することができる。また、スキャンバックライト方式を採用すれば、液晶パネル１０での走査とバックライトのスキャンを同期させるため、動画を表示した際の残像等を緩和することができる。
【００５６】
また、発光素子８９は、導光板部８１のＸ軸方向で対向する平行な２辺のうち、短辺８１２側に位置する端面から導光板部８１内に光源光を入射させる。このため、導光板部８１においては、光源光が入射する端面（光入射部８８）のＹ軸方向のサイズが発光素子８９のＹ軸方向のサイズに比して過剰に大きくなるという事態を回避することができる。従って、導光板部８１の光入射部８８から発光素子８９を過度に離間させなくても、導光板部８１において発光素子８９と対向している部分と、かかる領域からＹ軸方向にずれた位置とにおいて光源光の入射光量の差が小さい。それ故、導光板部８１から照明光を出射する際、導光板部８１の光入射部８８付近において、発光素子８９と対向している部分からの照明光の出射強度と、かかる領域からＹ軸方向にずれた位置からの照明光の出射強度との差が小さい。よって、Ｘ軸方向に延在する導光板部８１をＹ軸方向に複数配列させた場合でも、導光板部８１や発光素子８９の数が比較的少なく、かつ、Ｘ軸方向における照明装置８の寸法が比較的小さいままで、照明光の出射強度の均一化を図ることができる。
【００５７】
また、本形態では、隣り合う導光板部８１の間８２には光散乱面８２１が設けられているため、導光板部８１から隣りの導光板部８１に一部の光が漏れることになる。このため、隣り合う導光板部８１の境界部分において照明光の出射強度が急激に変化することを抑制することができる等、実施の形態１と同様な効果を奏する。
【００５８】
［実施の形態３］
図６は、本発明の実施の形態３に係る照明装置８の平面構成を示す説明図であり、図６（ａ）、（ｂ）は、液晶装置１００を横長で使用する様子を示す説明図、および液晶装置１００を縦長で使用する様子を示す説明図である。なお、本形態の基本的な構成は、実施の形態１、２と同様であるため、共通する部分には同一の符号を付して、それらの説明を省略する。
【００５９】
図６（ａ）に示すように、本形態の照明装置８を備えた液晶装置１００は、液晶パネル１０の画像表示領域の対角が３．５インチであり、３２０×４８０の画素数を有している。また、導光板８０のサイズは５１ｍｍ×７５ｍｍ、厚みは１ｍｍである。本形態において、照明装置８の導光板８０は、実施の形態２に係る導光板８０から導光板部８１の数を６枚に減らした構成を有している。かかる照明装置８を備えた液晶装置１００は、ＴＶ等の動画を表示する際、横長で用いられる。かかる横長の状態で、本形態の照明装置８では、矢印ＳＹで示すように、画面の上側から下側に向けてバックライトがスキャンされることになり、液晶パネル１０における走査方向と同一である。従って、動画を表示した際の残像等を緩和することができるとともに、ローカルディミングの効果を得ることもできる。
【００６０】
かかる構成の場合、図６（ｂ）に示すように、液晶装置１００を９０°回転させて縦長にすると、矢印ＳＸで示すように、画面の左側から右側に向けてバックライトをスキャンすることになる。このような場合でも、縦型の画像は、文字情報等を静止画で表示することが多いため、画面の左側から右側に向けてバックライトをスキャンすることになっても、残像等の問題が発生しにくい。
【００６１】
［実施の形態１〜３の変形例１］
図７は、本発明の実施の形態１〜３の変形例１に係る照明装置８の断面構成を示す説明図である。なお、本形態の基本的な構成は、実施の形態１〜３と同様であるため、共通する部分には同一の符号を付して、それらの説明を省略する。
【００６２】
実施の形態１〜３では、複数の導光板部８１は各々が、独立した樹脂板からなり、側辺８１３および斜辺８１４に相当する端面の全面を光散乱面８２１としたが、本形態では、図７（ａ）に示すように、隣り合う導光板部８１の間８２では、導光板８０の厚さ方向における一部に光散乱面８２１が設けられ、他の一部に反射面８２２が設けられている。本形態では、隣り合う導光板部８１の間８２では、光出射面８５から導光板８０の厚さ方向における約１／３が光散乱面８２１になっており、残りの約２／３が反射面８２２になっている。かかる反射面８２２は、アルミニウム等の反射層を設けた構成や、導光板部８１の端面の一部を鏡面とした構成によって実現することができる。なお、反射面８２２は、例えば、光出射面８５の側に設けてもよく、また、導光板８０の厚さ方向の途中位置に設けてもよい。
【００６３】
かかる構成によれば、光散乱面８２１および反射面８２２が占める割合を調整することによって、導光板部８１から光散乱面８２１を介して隣りの導光板部８１に漏れる光量と、反射面８２２で反射して導光板部８１に戻る光量を調整することができる。例えば、導光板部８１から光散乱面８２１を介して隣りの導光板部８１に対して、１０画素から２０画素に相当する領域まで漏れた光を到達させることができる。従って、隣り合う導光板部８１の間８２（境界部分）において照明光の出射強度が急激に変化することを抑制することができるとともに、導光板部８１から出射される照明光の光量を最適化することができる。
【００６４】
なお、本形態では、隣り合う導光板部８１の間８２に光散乱面８２１および反射面８２２を設けるにあたって、Ｙ軸方向で隣り合う導光板部８１の双方に光散乱面８２１および反射面８２２を形成したが、一方の導光板部８１に光散乱面８２１および反射面８２２を設けてもよい。かかる構成では、Ｙ軸方向で隣り合う導光板部８１の間で光散乱面８２１および反射面８２２を兼用した構成となるので、隣り合う導光板部８１の双方に光散乱面８２１および反射面８２２を設けた場合と同様な効果を得ることができる。その際、Ｙ軸方向で隣り合う導光板部８１のうち、一方の導光板部８１に光散乱面８２１を設け、他方の導光板部８１に反射面８２２を設ければ、導光板８０の製造工程を簡素化することができる。
【００６５】
図７（ｂ）に示す導光板８０では、隣り合う導光板部８１の間８２では、導光板８０の厚さ方向における一部に光散乱面８２１が設けられ、他の一部に隙間８２３が設けられている。本形態では、隣り合う導光板部８１の間８２では、光出射面８５から導光板８０の厚さ方向における約１／２が隙間８２３になっており、残りの約１／２が光散乱面８２１になっている。かかる隙間８２３は、導光板部８１の端面に段部を設けることによって実現することができ、隙間８２３の内部は空気層になっている。なお、隙間８２３は、例えば、反射シート１８７が位置する側に設けてもよい。
【００６６】
かかる構成によれば、導光板部８１の端面と隙間８２３内の空気層との界面で反射が発生するとともに、一部の光は隙間８２３を介して隣りの導光板部８１に入射する。従って、光散乱面８２１および隙間８２３が占める割合を調整することにより、導光板部８１から隣りの導光板部８１に漏れる光量と、導光板部８１の端面と隙間８２３内の空気層との界面で反射して導光板部８１に戻る光量を調整することができる。それ故、隣り合う導光板部８１の間８２（境界部分）において照明光の出射強度が急激に変化することを抑制することができるとともに、導光板部８１から出射される照明光の光量を最適化することができる。
【００６７】
ここで、導光板部８１において隙間８２３となる部分は平坦面であることが好ましい。かかる構成によれば、光の反射を効率よく行うことができ、光の利用効率を高めることができる。また、隣り合う導光板部８１の間８２に光散乱面８２１および隙間８２３を設けるにあたって、Ｙ軸方向で隣り合う導光板部８１の双方に光散乱面８２１および隙間８２３を形成すべき切り欠きを形成したが、一方の導光板部８１に光散乱面８２１および切り欠き（隙間８２３）を設けてもよい。かかる構成では、Ｙ軸方向で隣り合う導光板部８１の間で光散乱面８２１および隙間８２３を兼用した構成となるので、隣り合う導光板部８１の双方に光散乱面８２１および隙間８２３を設けた場合と同様な効果を得ることができる。その際、Ｙ軸方向で隣り合う導光板部８１のうち、一方の導光板部８１に光散乱面８２１を設け、他方の導光板部８１に切り欠き（隙間８２３）を設ければ、導光板８０の製造工程を簡素化することができる。
【００６８】
図７（ｃ）に示す導光板８０では、隣り合う導光板部８１の間８２の全体が隙間８２３になっている。かかる構成によれば、導光板部８１の端面と隙間８２３内の空気層との界面で反射が発生するとともに、一部の光は隙間８２３を介して隣りの導光板部８１に入射する。従って、導光板部８１から隣りの導光板部８１に漏れる光量と、導光板部８１の端面と隙間８２３内の空気層との界面で反射して導光板部８１に戻る光量を調整することができる。それ故、隣り合う導光板部８１の間８２（境界部分）において照明光の出射強度が急激に変化することを抑制することができるとともに、導光板部８１から出射される照明光の光量を最適化することができる。
【００６９】
ここで、導光板部８１において隙間８２３となる部分は平坦面であることが好ましい。かかる構成によれば、光の反射を効率よく行うことができ、光の利用効率を高めることができる。また、隙間８２３を介してＹ軸方向で隣り合う導光板部８１のうち、一方の導光板部８１の端面に光散乱面を設け、他方の導光板部８１の端面を平坦面としてもよい。
【００７０】
［実施の形態１〜３の変形例２］
図８は、本発明の実施の形態１〜３の変形例２に係る照明装置の要部構成を示す説明図である。なお、本形態の基本的な構成は、実施の形態１〜３と同様であるため、共通する部分には同一の符号を付して図示し、それらの説明を省略する。
【００７１】
上記実施の形態１〜３では、導光板部８１の厚さが一定であったが、図８（ａ）、（ｂ）に示すように、複数の導光板部８１は、厚さ寸法が第１方向（長辺８１１および短辺８１２が対向する方向）で連続的に変化している構成を採用してもよい。ここで、図８（ａ）に示す導光板８０では、導光板部８１の厚さ寸法が長辺８１１の側から短辺８１２の側に向けて連続的に増大している。これに対して、図８（ｂ）に示す導光板８０では、導光板部８１の厚さ寸法が長辺８１１の側から短辺８１２の側に向けて連続的に減少している。
【００７２】
かかる構成のうち、図８（ａ）に示す構成の場合には、発光素子８９から出射された光源光が導光板部８１に入射した後、先端側まで十分な光量をもって到達しやすい。それ故、導光板部８１から出射される照明光の出射強度の均一化を図ることができるという利点がある。
【００７３】
［他の実施の形態］
上記実施の形態において、導光板部８１は、長辺８１１および短辺８１２に対して直交する側辺８１３と、斜辺８１４とを備えていたが、２つの斜辺を備えた台形形状であってもよい。上記実施の形態において、第１方向における向きが逆の導光板部８１を第２方向で交互に配置したが、例えば、第１方向における向きが逆の導光板部８１を２つずつ第２方向に配置してもよい。
【００７４】
［電子機器への搭載例］
次に、上述した実施形態に係る液晶装置１００を適用した電子機器について説明する。図９（ａ）に携帯電話機３０００の構成を示す。携帯電話機３０００は、複数の操作ボタン３００１、スクロールボタン３００２、および表示ユニットとしての液晶装置１００を備えている。スクロールボタン３００２を操作することによって、液晶装置１００に表示される画面がスクロールされる。図９（ｂ）に情報携帯端末４０００の構成を示す。情報携帯端末４０００は、複数の操作ボタン４００１、電源スイッチ４００２、および表示ユニットとしての液晶装置１００を備える。電源スイッチ４００２を操作すると、住所録やスケジュール帳といった各種の情報が表示される。
【００７５】
なお、液晶装置１００が適用される電子機器としては、図９（ａ）、（ｂ）に示す電子機器の他、図９（ｃ）に示す液晶テレビ２０００や図９（ｄ）に示すパーソナルコンピューター１０００のディスプレイを例示することができる。また、図９に示す電子機器の他にも、カーナビゲーション装置、ページャー、電子手帳、電卓、ワードプロセッサー、ワークステーション、デジタルスチールカメラ、テレビ電話、ＰＯＳ端末等が挙げられ、これらの各種電子機器の表示部として、前述した液晶装置１００が適用可能である。
【符号の説明】
【００７６】
８・・照明装置、１０・・液晶パネル、８０・・導光板、８１・・導光板部、８５・・光出射面、８８・・光入射部、８９・・発光素子（光源）、１００・・液晶装置、８１１・・長辺（第２辺）、８１２・・短辺（第１辺）、８２１・・光散乱面、８２２・・反射面、８２３・・隙間。
【図１】
0005867003.tif 000002
【図２】
0005867003.tif 000003
【図３】
0005867003.tif 000004
【図４】
0005867003.tif 000005
【図５】
0005867003.tif 000006
【図６】
0005867003.tif 000007
【図７】
0005867003.tif 000008
【図８】
0005867003.tif 000009
【図９】
0005867003.tif 000010
【図１０】
0005867003.tif 000011